(57)【要約】【課題】着座者の上半身を正しい姿勢に保持する。【解決手段】姿勢保持具１０は、座部１１と、座部１１の後端部から立ち上がった形態の背凭れ部１６と、背凭れ部１６を構成し、着座者５０の背中５２の左右方向中央部を当接させる第１支持部１７と、背凭れ部１６を構成し、第１支持部１７の左右両側方に配されて、着座者５０の背中５２の左右両側部を当接させる一対の第２支持部１８とを備え、第１支持部１７の上縁部における最下端部１７Ｌが、第２支持部１８の上縁部における最上端部１８Ｕより低い位置に配されている。【選択図】図１１
2019037272.tif 000002
【特許請求の範囲】
【請求項１】
座部と、
前記座部の後端部から立ち上がった形態の背凭れ部と、
前記背凭れ部を構成し、着座者の背中の左右方向中央部を当接させる第１支持部と、
前記背凭れ部を構成し、前記第１支持部の左右両側方に配されて、着座者の背中の左右両側部を当接させる一対の第２支持部とを備え、
前記第１支持部の上縁部における最下端部が、前記第２支持部の上縁部における最上端部より低い位置に配されていることを特徴とする姿勢保持具。
【請求項２】
前記第２支持部の上端部が、上方に向かうほど斜め後方へ反るように湾曲していることを特徴とする請求項１記載の姿勢保持具。
【請求項３】
前記座部を構成する座部構成板部と前記背凭れ部を構成する背凭れ部構成板部が、前記背凭れ部構成板部の下端部を略支点として弾性的に相対変位し得るように連なり、
前記背凭れ部構成板部は、前記第１支持部を構成する第１支持板部と、前記第１支持板部の左右両側縁から斜め前方へ突出して前記第２支持部を構成する第２支持板部とからなり、
前記第２支持板部の下端側領域における前記第１支持板部からの突出寸法が、下方に向かって次第に小さくなっていることを特徴とする請求項１又は請求項２記載の姿勢保持具。
【請求項４】
前記第１支持部のうち背中と対向する第１支持面と、前記第２支持部のうち背中と対向する第２支持面とが、左右一対の繋ぎ面を介して連なっており、
平面視において前記第１支持面の曲率と前記第２支持面の曲率が前記繋ぎ面の曲率より小さいことを特徴とする請求項１ないし請求項３のいずれか１項に記載の姿勢保持具。
【発明の詳細な説明】
【技術分野】
【０００１】
本発明は、姿勢保持具に関するものである。
【背景技術】
【０００２】
特許文献１には、着座者の姿勢を正しい状態に保持する姿勢保持具が開示されている。この姿勢保持具は、着座者の臀部を下から支える臀部支持部と、臀部支持部の後縁から立ち上がった腰部支持部とを備えている。腰部支持部は、着座者の腰と背中の下端部とを支えることが可能な高さを有しており、全体として略方形の厚板状をなしている。
【先行技術文献】
【特許文献】
【０００３】
【特許文献１】特開２０１４−１２１３０号公報
【発明の概要】
【発明が解決しようとする課題】
【０００４】
上記の姿勢保持具は、腰部支持部の前面（腰と背中が当たる面）が全体として概ね平面状をなしているので、着座者は、上半身を左右に傾ける動作や上半身を左右に捻る動作を行い易い。しかしながら、この姿勢保持具は、着座者の上半身を正しい姿勢で安定させることができないため、着座者が、上半身を左右に傾けた姿勢や上半身を左右に捻った姿勢のままで長時間を過ごしてしまうことが懸念される。
【０００５】
本発明は上記のような事情に基づいて完成されたものであって、着座者の上半身を正しい姿勢に保持することを目的とする。
【課題を解決するための手段】
【０００６】
本発明の姿勢保持具は、
座部と、
前記座部の後端部から立ち上がった形態の背凭れ部と、
前記背凭れ部を構成し、着座者の背中の左右方向中央部を当接させる第１支持部と、
前記背凭れ部を構成し、前記第１支持部の左右両側方に配されて、着座者の背中の左右両側部を当接させる一対の第２支持部とを備え、
前記第１支持部の上縁部における最下端部が、前記第２支持部の上縁部における最上端部より低い位置に配されていることを特徴とする。
【発明の効果】
【０００７】
着座者は、背中の中央部における比較的低い部位を第１支持部に当て、背中の左右両側部における比較的高い部位を第２支持部に当てた状態で着座する。本願発明の姿勢保持具は、着座者の背中を３つの支持部で支えるので、着座者の上半身が左右に傾けた姿勢や左右に捻った姿勢になることを抑制し、着座者の上半身を正しい姿勢に保持することができる。
【図面の簡単な説明】
【０００８】
【図１】実施例１の姿勢保持具の斜視図
【図２】姿勢保持具の正面図
【図３】姿勢保持具の平面図
【図４】図２の外装シートを省略したＡ−Ａ線断面図
【図５】図２の外装シートを省略したＢ−Ｂ線断面図
【図６】図２の外装シートを省略したＣ−Ｃ線断面図
【図７】図２の外装シートを省略したＤ−Ｄ線断面図
【図８】図２の外装シートを省略したＥ−Ｅ線断面図
【図９】図２の外装シートを省略したＦ−Ｆ線断面図
【図１０】図２の外装シートを省略したＧ−Ｇ線断面図
【図１１】図３の外装シートを省略したＨ−Ｈ線断面図
【図１２】姿勢保持具の使用状態をあらわす図２のＡ−Ａ線相当断面図
【発明を実施するための形態】
【０００９】
本発明は、前記第２支持部の上端部が、上方に向かうほど斜め後方へ反るように湾曲していてもよい。
この構成によれば、着座者の上半身を背凭れ部に深くもたせかけたときに第２支持部の上端縁が着座者の身体に食い込む虞がない。
【００１０】
本発明は、前記座部を構成する座部構成板部と前記背凭れ部を構成する背凭れ部構成板部が、前記背凭れ部構成板部の下端部を略支点として弾性的に相対変位し得るように連なり、前記背凭れ部構成板部は、前記第１支持部を構成する第１支持板部と、前記第１支持板部の左右両側縁から斜め前方へ突出して前記第２支持部を構成する第２支持板部とからなり、前記第２支持板部の下端側領域における前記第１支持板部からの突出寸法は、下方に向かって次第に小さくなっていてもよい。
この構成によれば、着座者が上半身を背凭れ部に押し付けると、背凭れ部がその下端縁を略支点として後方へ弾性変位する。第２支持板部の下端側領域における第１支持板部からの突出寸法は、下方に向かって次第に小さくなるので、背凭れ部構成板部の下端側領域も弾性変形する。これにより、背凭れ部構成板部の下端縁への応力集中を防止できる。
【００１１】
本発明は、前記第１支持部のうち背中と対向する第１支持面と、前記第２支持部のうち背中と対向する第２支持面とが、左右一対の繋ぎ面を介して連なっており、平面視において前記第１支持面の曲率と前記第２支持面の曲率が前記繋ぎ面の曲率より小さくてもよい。
この構成によれば、曲率の大きい繋ぎ面には背中が当たることはないので、第１支持面と左右一対の第２支持面との３箇所において着座者の上半身を安定して支えることができる。
【００１２】
＜実施例１＞
以下、本発明を具体化した実施例１を図１〜図１２を参照して説明する。尚、以下の説明において、前後の方向については、図４〜６，１２における左方、図３，７〜１０における下方を前方と定義する。上下の方向については、図１，２，４〜６，１１，１２にあらわれる向きを、そのまま上方、下方と定義する。左右の方向については、図２，３，７〜１１にあらわれる向きを、そのまま左方、右方と定義する。
【００１３】
本実施例１の姿勢保持具１０は、形状的及び機能的には、着座者５０の臀部５１を下から支える座部１１と、着座者５０の背中５２を後方から支える背凭れ部１６とから構成され、左右対称な形状である。座部１１と背凭れ部１６は一体をなしている。尚、本実施例１において「着座者５０の背中５２」とは、着座者５０の背部及び腰部（上半身のうち体幹の背面側及び側面側）と定義する。
【００１４】
座部１１の平面視形状について説明する。図３に示すように、前後方向において、座部１１の後端から前方概ね２／３に亘る後端側支持領域１２Ｒは、前方に向かって次第に拡幅した略台形をなす。後端側支持領域１２Ｒでは座部１１の幅寸法（左右方向の寸法）が最大となる。座部１１のうち後端側支持領域１２Ｒより前方の前端側支持領域１２Ｆの外周縁は、左右対称な一対の前側湾曲縁部１３と、前縁抉り部１４とから構成されている。前側湾曲縁部１３は、後端側支持領域１２Ｒの左右両側縁に連なり、座部１１の前縁部を構成する。前縁抉り部１４は、座部１１の左右方向中央部において鈍角状に凹んだ形状であり、左右両前側湾曲縁部１３を繋いでいる。
【００１５】
座部１１の正面視形状について説明する。図２，１１に示すように、と、座部１１は、上面側が凹むように湾曲した左右対称な一対の支承部１５から構成されている。座部１１は、左右方向中央部と左右両端部が高くなっているので、着座者５０の臀部５１と太腿の付け根部分とを安定して支えることができる。
【００１６】
図１，４に示すように、背凭れ部１６は、座部１１の後端部から上方へ立ち上がった形態である。背凭れ部１６は、背凭れ部１６の左右方向中央部を構成する第１支持部１７と、背凭れ部１６の左右両側縁部を構成する左右対称な一対の第２支持部１８とから構成されている。左右両第２支持部１８は、第１支持部１７の左右両側縁から斜め前方へ片持ち状に延出した形態である。左右両第２支持部１８の延出方向は、平面視において、両第２支持部１８の左右方向の間隔が前方に向かって次第に拡がるような向きである。
【００１７】
背凭れ部１６の前面は、着座者５０の背中５２と接触又は対向する支持面１９となっている。支持面１９（背凭れ部１６）の正面視形状について説明する。図２，１１に示すように、上下方向（高さ方向）において、背凭れ部１６の下端から上方概ね２／３に亘る下端側支持領域２０は、上方に向かって次第に拡幅した略台形をなす。背凭れ部１６のうち下端側支持領域２０より上方の上端側支持領域２１の外周縁は、左右対称な一対の上側湾曲縁部２２と、上縁抉り部２３とから構成されている。上側湾曲縁部２２は、下端側支持領域２０の左右両側縁に連なり、背凭れ部１６の上縁部を構成する。上側抉り部は、背凭れ部１６の左右方向中央部において鈍角状に凹んだ形状であり、左右両上側湾曲縁部２２を繋いでいる。
【００１８】
上側湾曲縁部２２は第２支持部１８の外周縁のみに形成されている。上縁抉り部２３は、第１支持部１７の上縁部の全領域と第２支持部１８の上縁部の一部を構成する。背凭れ部１６の上縁部の高さ寸法は、上側湾曲縁部２２の上端において最大であり、上縁抉り部２３の最下端（背凭れ部１６の左右方向中央）において最小である。換言すると、第１支持部１７の上縁部における最下端部１７Ｌは、第２支持部１８の上縁部における最上端部１８Ｕより低い位置に配されている。第１支持部１７の上縁部における最下端部１７Ｌは、上側湾曲縁部２２（上端側支持領域２１）の下端（背凭れ部１６が最大幅となる高さ）よりも高い位置にある。上側湾曲縁部２２の下端は、背凭れ部１６が最大幅となる高さである。
【００１９】
図２に示すように、背凭れ部１６の幅寸法は、下端側支持領域２０の上端（上側湾曲縁部２２の下端）において最大となっている。背凭れ部１６の最大幅寸法は、座部１１の最大幅寸法より少し小さく設定されている。背凭れ部１６の幅寸法は、背凭れ部１６（下端側支持領域２０）の下端部１６Ｌ（即ち、座部１１の後端部）において最小となっている。左右両上側湾曲縁部２２の上端間の間隔（幅寸法）は、背凭れ部１６の最大幅寸法より小さい。背凭れ部１６の高さ寸法は座部１１の前後寸法よりも大きく設定されている。
【００２０】
図２，３に示すように、支持面１９は、第１支持部１７を構成する第１支持面２４と、第２支持部１８を構成する左右対称な一対の第２支持面２８とによって構成されている。第１支持面２４は、支持面１９における左右方向中央部に配されており、全体として縦長の略方形をなす。図４に示すように、第１支持面２４の上端部は、斜め上前方へ膨らんで斜め上後方へ反るように湾曲した第１上部湾曲面２５となっている。
【００２１】
図４に示すように、第１支持面２４の下端部２４Ｌは、後方に向かって上り勾配となるように湾曲した座部１１の後端部と滑らかに連なっている。第１支持面２４のうち第１上部湾曲面２５より下方の領域は、概ね平面状をなす第１受け面２７となっている。第１受け面２７は、姿勢保持具１０を使用している状態で概ね鉛直方向に沿う向きとなる。第１受け面２７の上下寸法は、第１支持面２４の全高寸法の概ね１／２の寸法である。
【００２２】
左右一対の第２支持面２８は、支持面１９のうち第１支持面２４の左右両側方に配されている。第２支持面２８は、第１支持面２４の左右両側縁部から斜め前方へ延出した形状である。第２支持面２８の前縁部は、前方に向かって膨らむように湾曲した形状である。即ち、第２支持面２８の前後方向の寸法（第１支持面２４の側縁部からの延出寸法）は、第２支持面２８のうち上端側支持領域２１においては上方に向かうほど大きくなり、第２支持面２８のうち下端側支持領域２０では下方に向かうほど小さくなる。
【００２３】
第２支持面２８のうち左右方向において第１支持面２４に近い領域は、第２受け面２９となっている。第２受け面２９は、第２支持部１８の延出方向と略平行な概ね平面状をなしている。第２支持面２８のうち第２受け面２９を上方、前方及び下方から包囲する周縁部は、斜め前方内向きに膨らんで斜め後方へ反るように湾曲している。
【００２４】
第２支持面２８の上端部は、斜め上前方へ膨らんで斜め上後方へ反るように湾曲した第２上部湾曲面３０となっている。左右両第２上部湾曲面３０は第１上部湾曲面２５の左右両側部と滑らかに連なっている。第２支持面２８の下端部は、斜め下前方へ膨らむように湾曲した第２下部湾曲面３１となっている。
【００２５】
図３，１１に示すように、平面視において、支持面１９のうち第１支持面２４の左右両側縁部と、第２支持面２８の第２受け面２９とを左右一対の繋ぐ領域は、弧状に凹んだ繋ぎ面３２となっている。一対の繋ぎ面３２は、左右対称であり、上下方向に細長く延びている。平面視において、第１支持面２４（第１受け面２７）の曲率と第２支持面２８（第２受け面２９）の曲率は殆どゼロに近い小さい値であるのに対し、繋ぎ面３２の曲率は大きい。背凭れ部１６の前方には、第１支持面２４と左右両第２支持面２８と左右両繋ぎ面３２とで区画されることにより、前方へ開放された概ね台形状の保持空間３３が構成されている。
【００２６】
第１支持部１７の第１受け面２７は、第１支持面２４のうち着座時に着座者５０の背中５２の左右方向中央部が当たり得る領域である。第２支持部１８の第２受け面２９は、第２支持面２８のうち着座時に着座者５０の背中５２の左右両側部が当たり得る領域である。第１受け面２７の最上端位置は第２受け面２９の最上端位置よりも低い位置に設定されている。第１受け面２７は左右方向において一対の第２受け面２９の間に挟まれるように位置する。したがって、姿勢保持具１０は、１つの第１受け面２７と左右一対の第２受け面２９とにより着座者５０の背中５２を３箇所で支えることができる。この３箇所の受け面２７，２９は、高低差があり、左右に間隔を空け、且つ前後に間隔を空けた位置関係にある。
【００２７】
図１２に示すように、姿勢保持具１０は、部品構成的には、外殻部材３４とクッション材３９と外装シート４０とから構成されている。外殻部材３４は、硬質の合成樹脂からなり、厚さが全領域に亘って一定の板状をなす単一部材である。外殻部材３４は、側面視形状が概ねＬ字形をなすように湾曲した形状に成形されている。外殻部材３４は、座部１１を構成する座部構成板部３５と、背凭れ部１６を構成する背凭れ部構成板部３６とからなる。座部構成板部３５は、上述した座部１１の形状と略同一の形状であり、曲率の異なるように湾曲した複数の曲面状板部によって構成されている。背凭れ部構成板部３６は、座部構成板部３５の後端部から上方へ立ち上がった形態であり、第１支持部１７を構成する第１支持板部３７と、第２支持部１８を構成する左右対称な一対の第２支持板部３８とから構成されている。
【００２８】
第１支持板部３７の形状は、上述した第１支持部１７及び第１支持面２４と略同一の形状である。第１支持板部３７のうち第１受け面２７と対応する高さ領域は、側面視形状が全体として前方へ膨らむように湾曲した形状であり、姿勢保持具１０を水平面に載置した状態で鉛直方向よりも少し前方へ傾いた向きとなる。また、第１支持板部３７のうち第１上部湾曲面２５と対応する領域は、斜め上後方へ反るように湾曲している。第１支持板部３７のうち第１下部湾曲部２６と対応する領域は、下方に向かって下り勾配となるように、且つ斜め下後方へ膨らむように湾曲した形状である。
【００２９】
一対の第２支持板部３８は、第１支持板部３７の概ね直線状をなす左右両側縁から斜め前方へ且つ互いの左右間隔が前方に向かって拡がるように片持ち状に延出した形態である。第２支持板部３８の形状は、上述した第２支持部１８及び第２支持面２８と略同一の形状である。第２支持板部３８のうち第２受け面２９と対応する領域は、概ね平板状をなし、第２支持板部３８の周縁部は、斜め後方へ反るように湾曲した形状である。
【００３０】
図４に示すように、背凭れ部構成板部３６の下端部３６Ｌは座部構成板部３５の後端部に連なっているのであるが、背凭れ部構成板部３６の下端部３６Ｌを構成するのは第１支持板部３７だけである。つまり、第１支持板部３７は座部構成板部３５に対して直接的に連なっているが、第２支持板部３８は、座部構成板部３５に対して直接的には連なっておらず、第１支持板部３７を介すことによって座部構成板部３５に連なっている。
【００３１】
外殻部材３４は、姿勢保持具１０の全体形状を保つものであり、着座者５０の姿勢を安定して保持し得る剛性（形状保持性）を有する。但し、着座者５０の体重に起因する静的な荷重や、着座者５０の着座姿勢変更に起因する動的な荷重等を受けたときには、着座姿勢に影響を与えない程度に弾性変形し得るようになっている。具体的には、第２支持板部３８が、第１支持板部３７に対し、第１支持板部３７の左右両側縁部を略支点として左右方向へ拡開するように弾性的に相対変位し得るようになっている。
【００３２】
また、上記の静的荷重や動的荷重を受けたときには、背凭れ部構成板部３６（背凭れ部１６）が、座部構成板部３５（座部１１）に対し、背凭れ部構成板部３６の下端部３６Ｌ（座部構成板部３５の後端部）を略支点として前後方向へ姿勢を傾けるように弾性的に相対変位し得るようになっている。このとき、背凭れ部構成板部３６の弾性変形量（背凭れ部構成板部３６に生じる応力）は、弾性変位の略支点となる下端部３６Ｌにおいて最大となるが、第１支持板部３７の少なくとも下端側支持領域２０も弾性変形する。第１支持板部３７の下端側支持領域２０が弾性変形することは、背凭れ部構成板部３６の下端部３６Ｌにおける応力集中を回避する手段として好ましい。
【００３３】
しかし、第１支持板部３７の左右両側縁から突出する第２支持板部３８は、第１支持板部３７の弾性変形に抗する補強リブとして機能する。そこで、図８〜１０に示すように、第２支持板部３８の下端側領域における第１支持板部３７からの突出寸法を、下方に向かって次第に小さくなるように設定した。これにより、背凭れ部構成板部３６が座部構成板部３５に対して前後方向へ弾性変位するときに、第１支持板部３７の下端側領域も弾性的に湾曲変形するようになっている。尚、本実施例１において、第２支持板部３８の下端側領域とは、第２支持板部３８の下端部３８Ｌから少なくとも１／３程度の高さに亘る領域と定義する。
【００３４】
クッション材３９は、外殻部材３４のうち着座者５０と対向する面（座部１１を構成する部分の上面と、背凭れ部１６を構成する部分の前面）に対し積層するように取り付けられている。クッション材３９は、例えばウレタンフォーム等からなり、着座者５０の臀部５１や背中５２が硬い外殻部材３４に当たることに起因する不快感を回避するための部材である。クッション材３９のうち第１受け面２７と対応する部分の厚さは、上下方向において一定寸法ではなく、下方に向かって次第に厚肉となるように厚さ寸法が変化している。これにより、姿勢保持具１０を水平面に載置したときに、第１支持面２４の第１受け面２７が概ね鉛直に立ち上がる向きとなる。
【００３５】
外装シート４０は、布製であり、外殻部材３４の外面（座部１１を構成する部分の下面と、背凭れ部１６を構成する部分の後面）と、クッション材３９のうち着座者５０と対向する面（座部１１を構成する部分の上面と、背凭れ部１６を構成する部分の前面）の全体を覆っている。クッション材３９と外装シート４０は、外殻部材３４が弾性変形すると、追従して柔軟に変形する。
【００３６】
姿勢保持具１０は、床面（図示省略）に直接置いた状態や椅子５３に載せた状態で使用することができる。図１２には、椅子に載せて使用している状態を示す。着座者５０が姿勢保持具１０に着座すると、臀部５１が座部１１によって下から支えられ、上半身の体幹部が保持空間３３内に収容されて背中５２が背凭れ部１６により後方から支えられる。このとき、背中５２の左右方向中央部位のうち胸椎下部と対応する部位が第１支持面２４に当接するとともに、背中５２の左右両側部位が左右の第２支持面２８に当接する。
【００３７】
このとき、第２支持面２８への当接部位は、第１支持面２４への当接部位よりも高い位置であり、且つ第１支持面２４への当接部位よりも前方の位置である。つまり、背中５２は、三次元方向において位置の異なる複数部位を支えられることになる。また、着座者５０が平均的体型の成人である場合、第２支持面２８への当接位置は、肋骨の背面側であり、且つ肩甲骨より低い高さである。
【００３８】
本実施例１の姿勢保持具１０は、着座者５０の臀部５１を下から支える座部１１と、座部１１の後端部から立ち上がった形態であって着座者５０の上半身を背中５２側から支える背凭れ部１６とを備えている。背凭れ部１６は、着座者５０の背中５２の左右方向中央部を当接させる第１支持部１７と、第１支持部１７の左右両側方に配されて着座者５０の背中５２の左右両側部を当接させる一対の第２支持部１８とを備えて構成されている。
【００３９】
第１支持部１７は、着座者５０の背中５２の中央部における比較的低い部位を後方から支え、左右一対の第２支持部１８は背中５２の左右両側部のうち第１支持部１７より高い部位を斜め後方から挟むように支える。したがって、着座者５０は、背中５２の中央部における比較的低い部位を第１支持部１７に当て、背中５２の左右両側部における比較的高い部位を第２支持部１８に当てた状態で着座する。着座者５０は、３つの支持部１７，１８により左右に間隔を空け、且つ高低差のある３箇所で背中５２を支えられるので、上半身を左右に傾けた姿勢や上半身を左右に捻った姿勢になることを抑制される。したがって、本実施例１の姿勢保持具１０は、着座者５０の上半身を正しい姿勢に保持することができる。
【００４０】
また、第１支持部１７は着座者５０の背中５２のうち比較的低い部位（腰椎の上部から胸椎の下部に亘る範囲の全体又は一部）を支え、第２支持部１８は背中５２の比較的高い部位（肋骨背部のうち胸椎の下部から胸椎の中程高さに亘って対応する部位の全体又は一部）を支えるので、着座者５０が背凭れ部１６に体重を預けたときに、高低差のある複数箇所で背中５２が支えられる。これにより、着座者５０の上半身は、側面視において脊椎が適正なカーブを描くような正しい姿勢に保たれる。ここで、正しい姿勢とは、胸椎が後方へ膨らむように湾曲し、腰椎が前方へ膨らむように湾曲し、仙骨から尾骨に亘って後方へ膨らむように湾曲した姿勢である。
【００４１】
また、第１支持部１７の上端の高さを第２支持部１８の上端と同じ高さに揃えた場合、背中５２のうち後方へ膨らむように湾曲している胸椎部分が第１支持部１７の上端に当たり、脊椎が適正なカーブを描き難くなる虞がある。その対策として、本実施例１の姿勢保持具１０は、背凭れ部１６の上端縁に上縁抉り部２３を形成し、第１支持部１７の上端の高さを第２支持部１８の上端より低くしているのであるが、上縁抉り部２３を形成すると、第１支持部１７の上方直近（即ち、左右両第２支持部１８の上端部の間）が空間となるので、第１支持部１７の上方直近では背中５２を支えることができなくなる。そのため、着座者５０の上半身のうち第１支持部１７（背中５２の比較的低い部位）より上方の部分が後方へ反ってしまうことが懸念されるのであるが、着座者５０の上半身は、第１支持部１７より上方の左右両側方において第２支持部１８で支えられるので、着座者５０は、適度に胸が開きリラックスした状態で着座することができる。
【００４２】
また、着座状態では着座者５０の上半身からの押圧力を受けて第２支持部１８が斜め後方へ弾性変位するので、第２支持部１８（第２支持板部３８）の弾性復元力により、背中５２の中央部よりも左右両側において圧力を強く感得する。そのため、着座者５０の上半身が左右に傾いた姿勢や左右に捻られた姿勢になることを抑制できる。
【００４３】
また、第２支持部１８の上端部には、上方に向かうほど斜め後方へ反るように湾曲した第２上部湾曲面３０が形成されているので、着座者５０の上半身を背凭れ部１６に深くもたせかけたときに第２支持部１８の上端縁が着座者５０の身体に食い込むことがなく、着座者５０は座部１１に深く腰掛けることができる。また、深く腰掛けることで、背中５２の左右両側部が第２支持部１８にしっかりと押し付けられるので、上半身が左右に捻られることを確実に防止できる。さらに、第２支持部１８の上端部が着座者５０の身体に食い込まないことで、背中５２の上部を適度に後方へ反らせることが可能となるので、着座者５０を正しい姿勢に保持することができる。
【００４４】
また、姿勢保持具１０は、その形状を保つための外殻部材３４を備えている。外殻部材３４は、座部１１を構成する座部構成板部３５と、背凭れ部１６を構成する背凭れ部構成板部３６とを備えている。背凭れ部構成板部３６は、座部構成板部３５に対し、背凭れ部構成板部３６の下端部３６Ｌを略支点として弾性的に相対変位し得るように連なっている。そのため、着座者５０が上半身を背凭れ部１６に強く押し付けると、背凭れ部１６が、その下端部３６Ｌを略支点として座部１１に対して後方へ弾性的に相対変位する。
【００４５】
このとき、相対的弾性変位の支点となる背凭れ部構成板部３６の下端部３６Ｌに応力が集中すると、応力集中が繰り返しされることによって劣化が進み、耐久性が低下することが懸念される。背凭れ部構成板部３６の下端部３６Ｌに応力が集中することを回避する手段としては、背凭れ部構成板部３６の下端部３６Ｌだけでなく、背凭れ部構成板部３６の少なくとも下端側領域も一緒に弾性変形させることが好ましい。
【００４６】
ところが、背凭れ部構成板部３６は、第１支持部１７を構成する第１支持板部３７と、第１支持板部３７の左右両側縁から斜め前方へ突出して第２支持部１８を構成する左右一対の第２支持板部３８とからなるため、変形し難い。そこで、第２支持板部３８の下端側領域における第１支持板部３７からの突出寸法を、下方に向かって次第に小さくなるようにした。これにより、背凭れ部構成板部３６は、その下端部３６Ｌだけでなく下端側領域も弾性変形するので、背凭れ部構成板部３６の下端部３６Ｌに応力が集中することを防止できる。尚、背凭れ部構成板部３６の上端側領域は、下端側領域に比べて撓み剛性が高く弾性変形し難いので、着座者５０の上半身を安定して保持することができる。
【００４７】
また、第１支持部１７のうち背中５２と対向する第１支持面２４と、第２支持部１８のうち背中５２と対向する第２支持面２８とが、左右一対の繋ぎ面３２を介して連なっており、平面視において第１支持面２４の曲率と第２支持面２８の曲率が繋ぎ面３２の曲率より小さく設定されている。この構成によれば、曲率の大きい繋ぎ面３２には背中５２が当たることはないので、第１支持面２４と左右一対の第２支持面２８との３箇所において着座者５０の上半身を安定して支えることができる。
【００４８】
＜他の実施例＞
本発明は上記記述及び図面によって説明した実施例に限定されるものではなく、例えば次のような実施例も本発明の技術的範囲に含まれる。
（１）上記実施例の姿勢保持具は、座部と背凭れ部が一体に形成されたものであるが、姿勢保持具は、別体部材の座部と背凭れ部とを組み付けて構成されるものであってもよい。
（２）上記実施例では、第２支持部の上端部が、上方に向かうほど斜め後方へ反るように湾曲した形状であるが、第２支持部の上端部は、湾曲しない形状であってもよい。
（３）上記実施例の背凭れ部構成板部は、第１支持板部と第２支持板部とを一体に形成したものであるが、背凭れ部構成板部は、別体部材の第１支持板部と第２支持板部とを組み付けて構成されていてもよい。
（４）上記実施例では、第２支持板部の下端側領域における第１支持板部からの突出寸法が、下方に向かって次第に小さくなっているが、第２支持板部の下端側領域における第１支持板部からの突出寸法は、上下方向において概ね一定であってもよい。
（５）上記実施例では、座部と背凭れ部が弾性的に相対変位するようにしたが、座部と背凭れ部は相対変位しないようになっていてもよい。
（６）上記実施例では、第１支持面と第２支持面が曲率の大きい繋ぎ面を介して連なっていて、着座者の背中を左右に間隔を空けた３ヶ所で支えるようにたが、これに限らず、繋ぎ面の曲率を実施例１より小さくし、左側の第２支持面から右側の第２支持面に亘って左右方向に連続した領域で背中を支えるようにしてもよい。この場合でも、着座者の上半身が左右に傾けた姿勢や左右に捻った姿勢になることを抑制することができる。
（７）上記実施例では、第１支持部の上縁部に上縁抉り部を形成し、第１支持部の上方近傍（左右両第２支持部の上端部の間）に空間が空くようにしたが、上縁抉り部を形成せず、第１支持部の上端の高さと第２支持部の上端の高さを概ね同じ高さに揃えてもよい。このような背凭れ部の上縁部が広範囲に亘って一定の高さであっても、背凭れ部の上縁部のうち第１支持部の上端部と対応する領域の後傾の程度を第２支持部の上端部より深くすれば、背中を後方へ反らせたときに、背中の左右方向中央部が背凭れ部の上縁部に強く当たることを回避することができる。
【符号の説明】
【００４９】
１０…姿勢保持具
１１…座部
１６…背凭れ部
１７…第１支持部
１８…第２支持部
１７Ｌ…第１支持部の上縁部における最下端部
１８Ｕ…第２支持部の上縁部における最上端部
２４…第１支持面
２８…第２支持面
３２…繋ぎ面
３５…座部構成板部
３６…背凭れ部構成板部
３６Ｌ…背凭れ部構成板部の下端部
３７…第１支持板部
３８…第２支持板部
５０…着座者
５１…臀部
５２…背中
【図１】
2019037272.tif 000003
【図２】
2019037272.tif 000004
【図３】
2019037272.tif 000005
【図４】
2019037272.tif 000006
【図５】
2019037272.tif 000007
【図６】
2019037272.tif 000008
【図７】
2019037272.tif 000009
【図８】
2019037272.tif 000010
【図９】
2019037272.tif 000011
【図１０】
2019037272.tif 000012
【図１１】
2019037272.tif 000013
【図１２】
2019037272.tif 000014